(57)【要約】【課題】装飾性を向上させた卓上カレンダーを提供すること。【解決手段】卓上カレンダー１は、カレンダー用紙３の取付面を有して自立する支持体２と、支持体２の取付面に重ねられ、上端部が支持体２の上端部近傍に取り付けられるカレンダー用紙３と備える。カレンダー用紙３が、支持体２の取付面の上端近傍から下端近傍まで延びる第１面３ａと、第１面３ａの下端に接続して延在する第２面３ｂとを有し、第１面３ａと第２面３ｂとの間に折り曲げ線３ｃが形成され、折り曲げ線３ｃに沿って第２面３ｂを第１面３ａに重ねて折り畳み可能である。【選択図】図１
2020069751.tif 000002
【特許請求の範囲】
【請求項１】
カレンダー用紙の取付面を有して自立する支持体と、
該支持体の取付面に重ねられ、上端部が該支持体の上端部近傍に取り付けられるカレンダー用紙と、
を備える卓上カレンダーにおいて、
前記カレンダー用紙が、前記支持体の前記取付面の上端近傍から下端近傍まで延びる第１面と、該第１面の下端に接続して延在する第２面とを有し、前記第１面と前記第２面との間に折り曲げ線が形成され、該折り曲げ線に沿って前記第２面を前記第１面に重ねて折り畳み可能であることを特徴とする卓上カレンダー。
【請求項２】
前記第２面に、該第２面の一部が折り曲げられて起立する起立部を有し、該起立部の少なくとも一部を形成する切込線を該第２面に有する請求項１記載の卓上カレンダー。
【請求項３】
前記第１面及び前記第２面に、該第１面及び該第２面の一部が折り曲げられて起立する起立部を有し、該起立部の少なくとも一部を形成する切込線を、前記第１面と前記第２面との間の折り曲げ線に交差して、該第１面及び該第２面にわたって有する請求項１又は２記載の卓上カレンダー。
【請求項４】
前記第２面に、該第２面上で起立する起立部材が折り畳み可能に取り付けられた請求項１〜３のいずれか１項に記載の卓上カレンダー。
【請求項５】
前記カレンダー用紙を複数有し、各カレンダー用紙の前記起立部又は前記起立部材が、関連性のある図柄を有する請求項２〜４のいずれか１項に記載の卓上カレンダー。
【請求項６】
前記第２面に、メモ領域を有する請求項１〜５のいずれか１項に記載の卓上カレンダー。
【請求項７】
前記第２面の、前記第１面の下端と接続する第１端部と該端部と離れて対向する第２端部との間の長さが、前記第１面の、上端と下端との間の長さの同等以下である請求項１〜６のいずれか１項に記載の卓上カレンダー。
【請求項８】
前記第２面の、前記第１面の下端と接続する第１端部と該端部と離れて対向する第２端部との間の長さが、前記第１面の、上端と下端との間の長さの半分以下である請求項７記載の卓上カレンダー。
【請求項９】
前記カレンダー用紙が、前記支持体の頂部を回転中心に回動可能に取り付けられている請求項１〜８のいずれか１項に記載の卓上カレンダー。
【発明の詳細な説明】
【技術分野】
【０００１】
本発明は、卓上カレンダー、特に、装飾性を向上させた卓上カレンダーに関する。
【背景技術】
【０００２】
卓上に載置されて使用されるような小型のカレンダーに関して、卓上で起立する支持体の表面に、カレンダー用紙が取り付けられたものがある。支持体は、例えば紙を折り曲げて組み立てられた中空三角柱の形状であり、当該中空三角柱の周面のうちの一面が底面とされ、別の一面がカレンダー用紙の取付面とされている。
【０００３】
卓上カレンダーの一例では、取付面にカレンダー用紙を取り付けるために、リングを有している。上記中空三角柱の頂部近傍に、リングを通す複数の孔が水平方向に並べて形成されているとともに、カレンダー用紙の上端近傍に、上記支持体に形成した孔に位置対応してリングを通す複数の孔が形成されている。この支持体に形成された孔及びカレンダー用紙に形成された孔に、リングを通すことにより、カレンダー用紙は吊り下げられて取り付けられる。また、カレンダー用紙はリングに案内されて回動可能になっている。
【０００４】
このリングに複数枚、例えば１２枚又は６枚のカレンダー用紙を通して、支持体の取付面に重ねて積層しておき、一月ごと又は二月ごとに、最表面のカレンダー用紙をリングで案内して支持体の頂部を回転中心に回動させ、支持体の背面に移動させることで最表面に位置するカレンダー用紙を更新するようにしている。
【０００５】
卓上カレンダーの装飾性の向上のために、カレンダー用紙の表面の上側一辺近傍に前方装飾体が設けられ、別のカレンダー用紙の裏面の上側一辺近傍に後方装飾体が設けられ、これら前方装飾体及び後方装飾体が連結され両カレンダー用紙の上側一辺よりも上方に突出している卓上カレンダーがある（特許文献１）。
【先行技術文献】
【特許文献】
【０００６】
【特許文献１】特許第４６１２０８０号公報
【発明の概要】
【発明が解決しようとする課題】
【０００７】
卓上カレンダーは、一般的に小型であるため、装飾性の向上に制約があるところ、装飾性の向上に対する要請は止むところがなく、更なる装飾性の向上が求められていた。
そこで本発明は、装飾性を向上させた卓上カレンダーを提供することを目的とする。
【課題を解決するための手段】
【０００８】
本発明の卓上カレンダーはカレンダー用紙の取付面を有して自立する支持体と、
該支持体の取付面に重ねられ、上端部が該支持体の上端部近傍に取り付けられるカレンダー用紙と、
を備える卓上カレンダーにおいて、
上記カレンダー用紙が、上記支持体の上記取付面の上端近傍から下端近傍まで延びる第１面と、該第１面の下端に接続して延在する第２面とを有し、上記第１面と上記第２面との間に折り曲げ線が形成され、該折り曲げ線に沿って上記第２面を上記第１面に重ねて折り畳み可能であることを特徴とする。
【０００９】
本発明の卓上カレンダーは、上記第２面に、該第２面の一部が折り曲げられて起立する起立部を有し、該起立部の少なくとも一部を形成する切込線を該第２面に有することが好ましい。
【００１０】
また、本発明の卓上カレンダーは、上記第１面及び上記第２面に、該第１面及び該第２面の一部が折り曲げられて起立する起立部を有し、該起立部の少なくとも一部を形成する切込線を、上記第１面と上記第２面との間の折り曲げ線に交差して、該第１面及び該第２面にわたって有することが好ましい。
【００１１】
本発明の卓上カレンダーは、上記第２面に、該第２面上で起立する起立部材が折り畳み可能に取り付けられたことが好ましい。
【００１２】
本発明の卓上カレンダーは、上記カレンダー用紙を複数有し、各カレンダー用紙の上記起立部又は上記起立部材が、関連性のある図柄を有することが好ましい。
【００１３】
本発明の卓上カレンダーは、上記第２面に、メモ領域を有することが好ましい。
【００１４】
本発明の卓上カレンダーは、上記第２面の、上記第１面の下端と接続する第１端部と該端部と離れて対向する第２端部との間の距離が、上記第１面の、上端と下端との間の距離の同等以下であることが好ましい。
本発明の卓上カレンダーは、上記第２面の、上記第１面の下端と接続する第１端部と該端部と離れて対向する第２端部との間の距離が、上記第１面の、上端と下端との間の距離の半分以下であることが好ましい。
【００１５】
本発明の卓上カレンダーは、上記カレンダー用紙が、上記支持体の頂部を回転中心に回動可能に取り付けられていることが好ましい。
【発明の効果】
【００１６】
本発明の卓上カレンダーによれば、カレンダー用紙が第１面と第２面とを有することから、最表面に位置するカレンダー用紙は、第２面を卓上に展開することができ、立体的、空間的な広がりを拡大させ、装飾性を向上させることができる。
【図面の簡単な説明】
【００１７】
【図１】本発明の実施形態１の卓上カレンダーの斜視図である。
【図２】図１の卓上カレンダーの側面図である。
【図３】図１の卓上カレンダーのカレンダー用紙の一例の展開図である。
【図４】本発明の実施形態２の卓上カレンダーの斜視図である。
【図５】図４の卓上カレンダーのカレンダー用紙の一例の展開図である。
【図６】本発明の実施形態３の卓上カレンダーの斜視図である。
【図７】図６の卓上カレンダーのカレンダー用紙の一例の展開図である。
【図８】本発明の実施形態４の卓上カレンダーの斜視図である。
【図９】図８の領域ＩＸ近傍の拡大斜視図である。
【図１０】本発明の実施形態５の卓上カレンダーの斜視図である。
【図１１】図１０の領域ＸＩ近傍の拡大斜視図である。
【図１２】図１０の領域ＸＩＩ近傍の拡大斜視図である。
【発明を実施するための形態】
【００１８】
（実施形態１）
以下、本発明の卓上カレンダーの実施形態を、図面を参照しながら説明する。図１は、本発明の実施形態１の卓上カレンダー１の斜視図である。図１に示す卓上カレンダー１は、支持体２と、カレンダー用紙３と、保持リング４とを備えている。
【００１９】
支持体２は、図２に卓上カレンダー１の側面図を示すように、卓上で自立する略中空三角柱形状を有し、その周回りの三面のうち、一面が卓面に接する底面２ａであり、底面２ａの一方の端部と接続し、底面２ａに対し所定の傾斜を有する一面がカレンダー用紙の取付面２ｂであり、底面２ａの他方の端部と接続するとともに取付面２ｂの端部と接続する一面が背面２ｃである。取付面２ｂは、複数枚のカレンダー用紙３が重ねられて取り付けられる面である。支持体２は、例えば紙製であり、上記形状を有するように適切に折り曲げることにより作製することができる。なお、支持体２は、紙製に限られず、取付面２ｂを有し自立可能であれば、材料、構造を問わない。例えば自立可能な剛性を有するプラスチック製、その他の材料とすることができるし、この場合、背面２ｃはなくてもよい。
【００２０】
支持体２の取付面２ｂの上端近傍及び背面の上端近傍に、それぞれ保持リング４を通す複数の貫通孔２ｄが、当該上端に略平行に形成されている。貫通孔２ｄは、保持リング４を挿通可能な位置、大きさに形成されている。
【００２１】
各カレンダー用紙３の上端近傍に、保持リング４を通す複数の貫通孔３ｄが、当該上端に略平行に形成されている。貫通孔３ｄは、支持体２の取付面にカレンダー用紙３を重ねたときに、取付面２ｂの貫通孔２ｄとカレンダー用紙３の貫通孔３ｄとが、同一位置に開口されるような位置に形成されている。また、貫通孔３ｄは、保持リング４を挿通可能な大きさに形成されている。
【００２２】
カレンダー用紙３の貫通孔３ｄと、支持体２の貫通孔２ｄに保持リング４を通すことにより、カレンダー用紙３が支持体２の取付面２ｂ上に重ねて取り付けられる。カレンダー用紙３は、紙製の他に、紙に近似したプラスチック等の薄板であってもよい。なお、本実施形態の卓上カレンダー１は、カレンダー用紙３の他に、表紙を備えることもできる。
【００２３】
保持リング４は、カレンダー用紙を保持し得る強度を有する材料であれば種類を問わず使用することができ、例えばプラスチックや紙等を使用することができる。また、保持リング４は、カレンダー用紙３の１個の貫通孔３ｄにそれぞれ１個が対応する個別のリングでもよいし、カレンダー用紙３の１個の貫通孔３ｄにそれぞれ１個が対応するリング部材の複数個を、所定の連結部材で連結して一体化した構造のリングでもよい。
【００２４】
保持リング４に案内されて、カレンダー用紙３は支持体２の上端を回転中心に支持体２の取付面２ｂの表面上から背面２ｃの表面上に移動させることができる。よって、取付面２ｂ上に積み重ねられた複数のカレンダー用紙３のうち、最表面に位置するカレンダー用紙３を捲って背面２ｃ側に移動させることで、最表面に位置するカレンダー用紙３を更新することができる。
【００２５】
カレンダー用紙３は、支持体２の取付面２ｂの上端近傍から下端近傍まで延びる第１面３ａと、第１面３ａの下端に接続して延在する第２面３ｂとを有している。第１面３ａ及び第２面３ｂは、好ましくは一枚の紙より一体的に形成されている。第１面３ａと第２面３ｂとの境界には、谷折りの折り曲げ線３ｃが形成されていて、換言すれば折り曲げ線３ｃにより第１面３ａと第２面３ｂとが区分されている。
【００２６】
第１面３ａの表面には、例えばカレンダー情報３ｅが、例えば印刷により記載されている。第２面３ｂの表面には、例えばメモ領域３ｆが、例えば印刷により記載されている。
【００２７】
そして折り曲げ線３ｃに沿って谷折りすることで第１面３ａの表面と第２面３ｂの表面が対向するように折り畳むことができる。第１面には、第２面３ｂが折り畳まれたときに、当該第２面の端部を差し込むことができる切れ込み３ｇが形成されている。この切れ込み３ｇに第２面３ｂの端部を差し込むことで、第２面３ｂが第１面３ａに対して折り畳まれた状態を確実に維持することができる。もっとも、切れ込み３ｇは、なくてもよい。
【００２８】
第２面の平面形状は長方形に限られない。第１面と接続する端部以外の端部が、曲線形状であってもよい。
【００２９】
図２に示したように、支持体２の取付面２ｂ上に重ねられた複数のカレンダー用紙３のうち、最も外側に位置するカレンダー用紙３以外のカレンダー用紙３、すなわち、最も外側に位置するカレンダー用紙３と支持体２の取付面２ｂとの間に位置するカレンダー用紙３は、その第１面３ａと第２面３ｂとが折り曲げ線３ｃに沿って谷折りに折り畳まれている。
【００３０】
最も外側、すなわち、取付面２ｂから最も遠い側に位置するカレンダー用紙３は、折り畳まれた第２面３ｂを第１面３ａの表面から展開することができる。展開された第２面３ｂは、卓上カレンダー１に正対してカレンダー情報を確認するユーザーから見て第１面３ａよりも手前側に張り出して卓上に置かれる。なお、卓上に置かれたときに、第２面３ｂは、全面が卓上に密着する必要はなく、少なくとも一部、例えば第２面３ｂの手前側の端部が卓上に接していれば足りる。
【００３１】
保持リング４に案内されて捲られ、支持体２の取付面２ｂから背面２ｃに位置するカレンダー用紙３は、その第１面３ａと第２面３ｂとが折り曲げ線３ｃに沿って谷折りに折り畳まれている。
【００３２】
このようにカレンダー用紙３は、取付面２ｂの最表面に位置するときに第２面３ｂが展開され、取付面２ｂの最表面でないとき合及び背面に位置するときに第２面３ｂが折り畳まれた状態になっている。
【００３３】
本実施形態の卓上カレンダー１は、最表面に位置するカレンダー用紙３の第２面３ｂが展開されて卓上に置かれることから、この第２面３ｂにメモ領域３ｆやそれ以外の絵画やキャラクターやカレンダー情報等を記載することができる。したがって、本実施形態の卓上カレンダー１は、従来の１面のみのカレンダー用紙を有する卓上カレンダーに比べて、立体的、空間的な広がりを持ち、装飾性が向上した卓上カレンダーである。
【００３４】
図３に、カレンダー用紙３の一例の展開図を示す。第１面３ａの上端から下端までの長さＬ１に対して、第１面の下端と接続する第２面の第１端部と、該第１端部と離れて対向する第２端部との間の長さＬ２は、同等以下であることが好ましい。Ｌ２は、より好ましくはＬ１に対して半分以下である。
【００３５】
（実施形態２）
図４に、本発明の実施形態２の卓上カレンダー１１の斜視図を示す。図４に示した本実施形態の卓上カレンダー１１は、先に説明した実施形態と同一の部材、例えば支持体２や保持リング４を備えている。図１に示されたとの同一の部材は、図４で図１と同一の符号を付していて、これらの同一の部材について、以下の説明では実施形態１と重複する記載は省略する。
【００３６】
図４に示した卓上カレンダー１１は、支持体２及びカレンダー用紙３を備えている。カレンダー用紙３は、支持体２の取付面２ｂの上端近傍から下端近傍まで延びる第１面３ａと、第１面３ａの下端に接続して延在する第２面３ｂとを有している。この点は、実施形態１のカレンダー用紙３と同様である。
【００３７】
図５に、本実施形態の卓上カレンダー１１のカレンダー用紙３の一例の展開図を示す。図５のカレンダー用紙３は、第２面３ｂの面内に、線状の切り込みである切込線３ｈが形成されている。この切込線３ｈは、線分の両端から折り曲げ線３ｃ側に又はその反対側に延びる切れ込みであり、ミシン目であってもよい。切込線３ｈの線分は、装飾性を有する二次元デザインの輪郭に相当するように形成することができる。この切込線３ｈの両端は、本実施形態では、折り曲げ線３ｃにほぼ平行になるように配置されている。
【００３８】
図４の斜視図に示すように、第２面３ｂが展開されたカレンダー用紙３の第２面３ｂの切込線３ｈで囲われた領域は、その周囲の領域から分離して持ち上げ、切込線３ｈの両端の間を谷折りに折り曲げることができる。これにより、当該切込線３ｈで囲われた領域は、第２面３ｂ上から部分的に起立した起立部３ｉとすることができる。
【００３９】
したがって、本実施形態の卓上カレンダー１１は、第２面３ｂの一部が折り曲げられて起立する起立部３ｉの少なくとも一部を形成するための切込線３ｈを当該第２面３ｂに有するようにしている。これにより、第２面３ｂ面上に立体的形状の起立部３ｉを形成することができる。この起立部３ｉにより、卓上カレンダー１１は、立体的な造形を提供することができ、装飾性をより向上させた卓上カレンダーとすることができる。
【００４０】
また、起立部３ｉを設ける位置、大きさ、数の制約が少ないため、これらの工夫により装飾性をより向上させることができる。
【００４１】
また、異なるカレンダー用紙３に、それぞれ関連性のある図柄を有し、異なる位置や異なる二次元デザインの起立部３ｉを備えることにより、カレンダー用紙を捲る度に起立部３ｉのデザインに動きや物語性、季節性を与えることができる。
【００４２】
図４に示すカレンダー用紙３は、起立部３ｉが第２面３ｂ上で起立状態を維持するのを容易にするために、起立部３ｉと第１面３ａとを接続する支持部材を別途に用意して起立部３ｉを支持することができる。この支持部材は、例えば長方形の紙よりなり、一端を起立部３ｉの先端又は起立部３ｉの裏面に糊等により貼り付けて固定し、支持部材の他の一端を第１面３ａ又は第２面３ｂに糊等により貼り付けて固定する。支持部材は、起立部３ｉと一緒に折り畳むことができ、また、カレンダー用紙３の第２面３ｂが卓上に置かれたときに、起立部３ｉを支持して起立状態を維持することができる。なお、支持部材は、必ずしも起立部３ｉと別の部材とすることはなく、起立部３ｉの一部として、第２面３ｂ内に切込線３ｈに囲われた部分として形成されていてもよい。
【００４３】
（実施形態３）
図６に、本発明の実施形態３の卓上カレンダー２１の斜視図を示す。図６に示した本実施形態の卓上カレンダー２１は、先に説明した実施形態と同一の部材、例えば支持体２や保持リング４を備えている。図１に示されたとの同一の部材は、図６で図１と同一の符号を付していて、これらの同一の部材について、以下の説明では実施形態１と重複する記載は省略する。
【００４４】
図６に示した卓上カレンダー２１は、支持体２及びカレンダー用紙３を備えている。カレンダー用紙３は、支持体２の取付面２ｂの上端近傍から下端近傍まで延びる第１面３ａと、第１面３ａの下端に接続して延在する第２面３ｂとを有している。この点は、実施形態１や実施形態２のカレンダー用紙３と同様である。
【００４５】
図７に、本実施形態の卓上カレンダー２１のカレンダー用紙３の一例の展開図を示す。
図７のカレンダー用紙３は、第１面３ａと第２面３ｂとの間の折り曲げ線３ｃに交差して、第１面３ａ及び第２面３ｂわたって延びる切込線３ｊを複数で、図７の例では２本で有している。この切込線３ｊは、通常は折り曲げ線３ｃに対して略直交しているが、折り曲げ線３ｃに対して斜めの角度を有して交差していてもよい。
【００４６】
図６の斜視図に示すように、第２面３ｂが展開されたカレンダー用紙３の第１及び第２面にわたって延び、隣り合う２本の切込線３ｊの間の領域は、折り曲げ線３ｃで山折りに折り曲げることができる。これにより、当該隣り合う２本の切込線３ｊの間の領域は、第１面３ａ及び第２面３ｂから部分的に起立した起立部３ｋとすることができる。
【００４７】
したがって、本実施形態の卓上カレンダー２１は、第１面３ａ及び第２面３ｂの一部が折り曲げられて起立する起立部３ｋの少なくとも一部を形成するための切込線３ｊを第１面３ａ及び第２面３ｂに有するようにしている。これにより、第１面３ａと第２面３ｂとの接続部分に、立体的形状の起立部３ｋを形成することができる。この起立部３ｋにより、卓上カレンダー２１は、立体的な造形を提供することができ、装飾性をより向上させた卓上カレンダーとすることができる。
【００４８】
また、起立部３ｋは、カレンダー用紙３の第２面３ｂを展開する動作に伴って折り畳まれた状態から起立するため、ユーザーに予想外の動作による驚きと楽しさを与えることができる。
【００４９】
また、異なるカレンダー用紙３に、それぞれ関連性のある図柄を有し、異なる位置や異なるデザインの起立部３ｋを備えることにより、カレンダー用紙を捲る度に起立部３ｋのデザインに動きや物語性、季節性を与えることができる。
【００５０】
起立部３ｋは、それ自体が装飾性を与えるデザイン部材とすることができるばかりでなく、図６に示すように、別途に用意した二次元デザインの起立部材３ｍを、起立部３ｋの側面に、糊等で貼り付けて固定し、一体化することができる。この起立部材３ｍを、装飾性を有するデザインにすることにより、卓上カレンダーの装飾性をより向上させることができる。
【００５１】
（実施形態４）
図８に、本発明の実施形態４の卓上カレンダー３１の斜視図を示す。図８に示した本実施形態の卓上カレンダー３１は、先に説明した実施形態と同一の部材、例えば支持体２や保持リング４を備えている。図１に示されたとの同一の部材は、図８で図１と同一の符号を付していて、これらの同一の部材について、以下の説明では実施形態１と重複する記載は省略する。
【００５２】
図８に示した卓上カレンダー３１は、支持体２及びカレンダー用紙３を備えている。カレンダー用紙３は、支持体２の取付面２ｂの上端近傍から下端近傍まで延びる第１面３ａと、第１面３ａの下端に接続して延在する第２面３ｂとを有している。この点は、実施形態１〜３のカレンダー用紙３と同様である。
【００５３】
図８のカレンダー用紙３は、第１面３ａと第２面３ｂとの間に、別途に用意された起立部材３ｎが、折り畳み可能に、糊等で貼り付けられることにより、取り付けられている。起立部材３ｎは、例えば長方形の紙よりなり、一端を折り曲げて第１面３ａに糊等により貼り付けて固定し、他の一端を折り曲げて第２面３ｂに糊等により貼り付けて固定する。
【００５４】
図９に、図８において起立部材３ｎが取り付けられた領域ＩＸ近傍の拡大斜視図を示す。起立部材３ｎにより、第２面３ｂ上、特に第１面３ａと第２面３ｂとの接続部分に、立体的形状を形成することができる。
【００５５】
したがって、この起立部材３ｎが取り付けられたことにより、卓上カレンダー３１は、立体的な造形を提供することができ、装飾性をより向上させた卓上カレンダーとすることができる。
【００５６】
また、異なるカレンダー用紙３に、それぞれ関連性のある図柄を有し、異なる位置や異なるデザインの起立部材３ｎを備えることにより、カレンダー用紙を捲る度に起立部材３ｎのデザインに動きや物語性、季節性を与えることができる。
【００５７】
第２面３ｂ上に取り付けられる起立部材は、上述した起立部材３ｎに限られない。例えば、図８において、別途に用意された起立部材３ｐが、折り畳み可能に、糊等で貼り付けられることにより、取り付けられている。起立部材３ｐは、例えば長方形の紙よりなり、一端と他の一端とをそれぞれ折り曲げて第２面３ｂに糊等により貼り付けて固定する。この起立部材３ｐにより、第２面３ｂ上に、立体的形状を形成することができる。
【００５８】
起立部材３ｎ及び起立部材３ｐは、それ自体が装飾性を与えるデザイン部材とすることができるばかりでなく、図８に示すように、別途に用意した二次元デザインの起立部材３ｍを、起立部材３ｎ又は起立部材３ｐの側面に、糊等で貼り付けて固定し、一体化することができる。起立部材３ｍを、装飾性を有するデザインにすることにより、卓上カレンダーの装飾性をより向上させることができる。
【００５９】
（実施形態５）
図１０に、本発明の実施形態５の卓上カレンダー４１の斜視図を示す。図１０に示した本実施形態の卓上カレンダー４１は、先に説明した実施形態と同一の部材、例えば支持体２や保持リング４を備えている。図１に示されたとの同一の部材は、図１０で図１と同一の符号を付していて、これらの同一の部材について、以下の説明では実施形態１と重複する記載は省略する。
【００６０】
図１０に示した卓上カレンダー４１は、支持体２及びカレンダー用紙３を備えている。カレンダー用紙３は、支持体２の取付面２ｂの上端近傍から下端近傍まで延びる第１面３ａと、第１面３ａの下端に接続して延在する第２面３ｂとを有している。この点は、実施形態１〜４のカレンダー用紙３と同様である。
【００６１】
図１０のカレンダー用紙３は、第１面３ａと第２面３ｂとの間に、別途に用意された起立部材３ｎが、折り畳み可能に、取り付けられている。本実施形態の起立部材３ｎの取り付けと、先に図８を用いて説明した実施形態４の起立部材３ｎの取り付けとの相違は、本実施形態の起立部材３ｎは、カレンダー用紙３の第１面に、起立部材３ｎの一端を挿入可能なスリット３ｑをあらかじめ形成しておき、このスリット３ｑに、起立部材３ｎの一端部をそれぞれ挿入して折り曲げ、第１面３ａの裏面にて糊付けした点である。
【００６２】
図１１に、図１０において起立部材３ｎが取り付けられた領域ＸＩ近傍の拡大斜視図を示す。起立部材３ｎにより、第２面３ｂ上、特に第１面３ａと第２面３ｂとの接続部分に、立体的形状を形成することができる。
【００６３】
したがって、この起立部材３ｎが取り付けられたことにより、卓上カレンダー４１は、立体的な造形を提供することができ、装飾性をより向上させた卓上カレンダーとすることができる。
【００６４】
また、異なるカレンダー用紙３に、それぞれ関連性のある図柄を有し、異なる位置や異なるデザインの起立部材３ｎを備えることにより、カレンダー用紙を捲る度に起立部材３ｎのデザインに動きや物語性、季節性を与えることができる。
【００６５】
更に、本実施形態の卓上カレンダー４１は、図８に示した実施形態４の卓上カレンダー３１と比較して、起立部材３ｎの一端を第１面３ａの裏面で糊付けしたことにより、第１面３ａの表面には糊付け部が現れず、より美麗な外観を得ることができる。
【００６６】
起立部材３ｎは、それ自体が装飾性を与えるデザイン部材とすることができるばかりでなく、図１０に示すように、別途に用意した二次元デザインの起立部材３ｍを、起立部材３ｎの側面に、糊等で貼り付けて固定し、一体化することができる。起立部材３ｍを、装飾性を有するデザインにすることにより、卓上カレンダーの装飾性をより向上させることができる。
【００６７】
第２面３ｂ上に取り付けられる起立部材は、上述した起立部材３ｎに限られない。例えば、図１０において、先に図８を用いて説明したのと同様の起立部材３ｐが第２面３ｂ上に取り付けることができる。また、別途に用意した二次元デザインの起立部材３ｍを、起立部材３ｎ又は起立部材３ｐの側面に、糊等で貼り付けて固定し、一体化することができる。
【００６８】
図１２に、図１０において起立部材３ｐ起立部材及び３ｍが取り付けられた領域ＸＩＩ近傍の拡大斜視図を示す。本実施形態の卓上カレンダーにおいては、起立部材３ｍの側面及び起立部材３ｐに、共通するスリット３ｒが形成されている。このスリット３ｒに、例えば長方形の紙よりなる連結部材３ｓの一端を挿入して折り曲げ、起立部材３ｐの裏面で糊付けされて連結部材３ｓが固定されている。連結部材３ｓの他の一端は、折り曲げられて第２面３ｂに糊付けされている。この連結部材３ｓの側面に、別途に用意した二次元デザインの起立部材３ｔが糊付けされている。
【００６９】
図１２に示したように、本実施形態の卓上カレンダーは、二次元デザインの起立部材３ｍ及び３ｔを、連結部材３ｓにより連結した、複数組み立て部材の組み合わせ構造を有しているから、起立部材３ｍ及び３ｔを連動して折り畳み及び展開させることができ、装飾性をより向上させることができる。この複数組み立て部材の組み合わせ構造は、第１面３ａと第２面３ｂとの接続部分に取り付けられた起立部材３ｎに貼り付けて固定された起立部材３ｍと、他の二次元デザインの起立部材とを、連結部材３ｓにより連結した組み合わせ構造でもよい。
【００７０】
以上、本発明の卓上カレンダーの各実施形態を説明したが、本発明の卓上カレンダーは、上述した実施形態に限定されず、本発明の趣旨を逸脱しない範囲で幾多の変形が可能である。例えば、一つのカレンダー用紙に、実施形態２〜５の立体的形状を組み合わせて用いることができる。また、カレンダー用紙３を支持体２の取付面２ｂに取り付ける手段は保持リングに限られない。例えば上端が綴じられて冊子状になっている複数枚のカレンダー用紙３の上端を直接、支持体の取付面２ｂに固定してもよい。この場合、例えば各カレンダー用紙の上端近傍にあらかじめ形成しておいたミシン目によって分離することによりカレンダー用紙を捲ることができる。
【符号の説明】
【００７１】
１、１１、２１、３１、４１  卓上カレンダー
２  支持体
２ｂ  取付面
３  カレンダー用紙
３ａ  第１面
３ｂ  第２面
３ｃ  折り曲げ線
３ｆ  メモ領域
３ｈ  切込線
３ｉ  起立部
３ｊ  切込線
３ｋ  起立部
３ｍ、３ｎ、３ｐ、３ｔ  起立部材
４  保持リング
【図１】
2020069751.tif 000003
【図２】
2020069751.tif 000004
【図３】
2020069751.tif 000005
【図４】
2020069751.tif 000006
【図５】
2020069751.tif 000007
【図６】
2020069751.tif 000008
【図７】
2020069751.tif 000009
【図８】
2020069751.tif 000010
【図９】
2020069751.tif 000011
【図１０】
2020069751.tif 000012
【図１１】
2020069751.tif 000013
【図１２】
2020069751.tif 000014
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
カレンダー用紙の取付面を有して自立する支持体と、
該支持体の取付面に重ねられ、上端部が該支持体の上端部近傍に取り付けられるカレンダー用紙と、
を備える卓上カレンダーにおいて、
前記カレンダー用紙が、前記支持体の前記取付面の上端近傍から下端近傍まで延びる第１面と、該第１面の下端に接続して延在する第２面とを有し、前記第１面と前記第２面との間に折り曲げ線が形成され、該折り曲げ線に沿って前記第２面を前記第１面に重ねて折り畳み可能であることを特徴とする卓上カレンダー。
【請求項２】
前記第２面に、該第２面の一部が折り曲げられて起立する起立部を有し、該起立部の少なくとも一部を形成する切込線を該第２面に有する請求項１記載の卓上カレンダー。
【請求項３】
前記第１面及び前記第２面に、該第１面及び該第２面の一部が折り曲げられて起立する起立部を有し、該起立部の少なくとも一部を形成する切込線を、前記第１面と前記第２面との間の折り曲げ線に交差して、該第１面及び該第２面にわたって有する請求項１又は２記載の卓上カレンダー。
【請求項４】
前記第２面に、該第２面上で起立する起立部材が折り畳み可能に取り付けられた請求項１〜３のいずれか１項に記載の卓上カレンダー。
【請求項５】
請求項２〜４のいずれか一項に記載の卓上カレンダーが前記カレンダー用紙を複数有し、各カレンダー用紙について、請求項２若しくは請求項３記載の卓上カレンダーの前記起立部又は請求項４記載の卓上カレンダーの前記起立部材が、関連性のある図柄を有する卓上カレンダー。
【請求項６】
前記第２面に、メモ領域を有する請求項１〜５のいずれか１項に記載の卓上カレンダー。
【請求項７】
前記第２面の、前記第１面の下端と接続する第１端部と該端部と離れて対向する第２端部との間の長さが、前記第１面の、上端と下端との間の長さの同等以下である請求項１〜６のいずれか１項に記載の卓上カレンダー。
【請求項８】
前記第２面の、前記第１面の下端と接続する第１端部と該端部と離れて対向する第２端部との間の長さが、前記第１面の、上端と下端との間の長さの半分以下である請求項７記載の卓上カレンダー。
【請求項９】
前記カレンダー用紙が、前記支持体の頂部を回転中心に回動可能に取り付けられている請求項１〜８のいずれか１項に記載の卓上カレンダー。